【事件の表示】
　特願２０１６−５１６００９「情報を表示するための方法およびデバイス」拒絶査定不服審判事件〔平成２７年　３月２６日国際公開、ＷＯ２０１５／０３９６０８、平成２８年　９月２３日国内公表、特表２０１６−５２９５７８、請求項の数（１１）〕について、次のとおり審決する。
【結　論】
　原査定を取り消す。
　本願の発明は、特許すべきものとする。
【理　由】
第１　手続の経緯
　本願は，２０１４年９月１８日（パリ条約による優先権主張外国庁受理２０１３年９月２２日，中華人民共和国）を国際出願日とする出願であって，平成２８年７月２６日付けで拒絶理由通知がされ，平成２８年９月２３日に意見書と手続補正書が提出され，平成２８年１２月２日付けで拒絶査定（原査定）がされ，これに対し，平成２９年３月９日に拒絶査定不服審判の請求がされると同時に手続補正書が提出がされ，平成２９年７月２０日付けで拒絶理由通知（以下，「当審拒絶理由通知」という。）がされ，平成２９年１０月１９日に意見書と手続補正書が提出されたものである。
　
第２　原査定の概要
　原査定（平成２８年１２月２日付け拒絶査定）の概要は次のとおりである。
　
１　本願請求項１−２，４−７，９−１１，１３−１４に係る発明は，以下の引用文献Ａに記載された発明であるから，特許法第２９条第１項第３号の規定により特許を受けることができない。
２　本願請求項１−１４に係る発明は，以下の引用文献Ａ，Ｂに基づいてその発明の属する技術の分野における通常の知識を有する者（以下，「当業者」という。）が容易に発明できたものであるから，特許法第２９条第２項の規定により特許を受けることができない。
　
引用文献等一覧
Ａ．特開２０１３−１４０６４０号公報
Ｂ．特開２０１３−１２０５５５号公報（周知技術を示す文献）
　
第３　当審拒絶理由の概要
　当審拒絶理由の概要は次のとおりである。
　
Ａ（進歩性）本願請求項１−１１に係る発明は，以下の引用文献１，２に基づいてその発明の属する技術の分野における通常の知識を有する者（以下，「当業者」という。）が容易に発明できたものであるから，特許法第２９条第２項の規定により特許を受けることができない。
Ｂ（明確性）本件出願は，特許請求の範囲の記載が不備のため，特許法第３６条第６項第２号に規定する要件を満たしていない。
　
引用文献等一覧
１．特開２０１３−１４０６４０号公報
２．特開２００９−１８８７７６号公報
　
第４　本願発明
　本願請求項１−１１に係る発明（以下，それぞれ「本願発明１」−「本願発明１１」という。）は，平成２９年１０月１９日に提出された手続補正書による手続補正で補正された特許請求の範囲の請求項１−１１に記載された事項により特定される発明であり，本願発明１−１１は以下のとおりの発明である。
　
「　【請求項１】
　情報を表示するための方法であって，
　プロセッサおよびディスプレイを備えるデバイスによって，第１のオンライン情報を前記ディスプレイ上の第１のインタラクティブインターフェース内に表示するステップと，
　前記デバイスによって，前記第１のインタラクティブインターフェースから第２のインタラクティブインターフェースに切り替えるための切り替え命令を受信したときに現在の位置情報を保存するステップであって，前記現在の位置情報は，前記切り替え命令を受信したときに前記第１のインタラクティブインターフェース内に表示される現在のオンライン情報を指示するブックマークを含む，ステップと，
　前記デバイスによって，前記切り替え命令に従って前記第１のインタラクティブインターフェースから前記第２のインタラクティブインターフェースに切り替えるステップと，
　前記デバイスによって，前記第１のオンライン情報を表示するための表示命令を受信したときに前記第２のインタラクティブインターフェースから前記第１のインタラクティブインターフェースに切り替えるステップと，
　前記デバイスによって，前記現在の位置情報に従って前記現在のオンライン情報を表示するように前記第１のインタラクティブインターフェースを制御するステップとを含み，
　前記現在の位置情報を保存するステップは，
　前記第１のオンライン情報の先頭から前記現在の位置情報までのオフセット情報を保存するステップを含み，
　前記現在の位置情報に従って前記現在のオンライン情報を表示するように前記第１のインタラクティブインターフェースを制御するステップは，
　前記第１のオンライン情報が記憶されているサーバに前記現在の位置情報を送信するステップと，
　前記サーバによって送信されたオンライン情報のターゲットデータを受信するステップと，
　前記オンライン情報のターゲットデータを前記第１のインタラクティブインターフェースに表示するステップとを含み，
　前記オンライン情報のターゲットデータは，前記現在のオンライン情報及びユーザの操作に従って予め設定された現在のオンライン情報よりも後に発行されるオンライン情報を含む，
　ことを特徴とする方法。
　　【請求項２】
　前記現在のオンライン情報を表示するように前記第１のインタラクティブインターフェースを制御するステップは，
　前記オフセット情報に従って前記現在のオンライン情報を表示するように前記第１のインタラクティブインターフェースを制御するステップを含む請求項１に記載の方法。
　　【請求項３】
　前記現在の位置情報に従って前記現在のオンライン情報を表示するように前記第１のインタラクティブインターフェースを制御するステップは，
　前記現在の位置情報に従って事前に記憶されているオンライン情報から前記現在のオンライン情報にアクセスするステップと，
　前記現在のオンライン情報を前記第１のインタラクティブインターフェースに表示するステップとを含む請求項１に記載の方法。
　　【請求項４】
　前記オンライン情報は，ページ情報および会話情報のうちの少なくとも一方を含む請求項１に記載の方法。
　　【請求項５】
　情報を表示するためのデバイスであって，
　第１のインタラクティブインターフェースを第２のインタラクティブインターフェースに切り替えるための切り替え命令を受信したときに現在のオンライン情報の位置を表す現在の位置情報を記憶するように構成された記憶ユニットであって，前記現在のオンライン情報は，前記第１のインタラクティブインターフェースから前記第２のインタラクティブインターフェースに切り替えるための切り替え命令を受信したときに前記第１のインタラクティブインターフェースに表示される情報である，記憶ユニットと，
　表示ユニットであって，前記第１のインタラクティブインターフェース内に第１のオンライン情報を表示するように構成され，前記第２のインタラクティブインターフェースから前記第１のインタラクティブインターフェースに切り替え，前記第１のインタラクティブインターフェースを，前記第１のオンライン情報を表示するための表示命令を受信したときに前記現在のオンライン情報を表示するように制御するように構成された表示ユニットと，
　前記切り替え命令に従って前記第１のインタラクティブインターフェースから前記第２のインタラクティブインターフェースに切り替えるように構成された切り替えユニットとを備え，
　前記記憶ユニットは，前記第１のインタラクティブインターフェースから前記第２のインタラクティブインターフェースに切り替えるための切り替え命令を受信したときに前記第１のオンライン情報の先頭から前記現在の位置情報までのオフセット情報を記憶するように構成され，
　前記表示ユニットは，前記記憶ユニット内に保存されている前記現在の位置情報を前記オンライン情報が記憶されているサーバに送信し，前記サーバによって送信されたオンライン情報のターゲットデータを受信し，前記オンライン情報のターゲットデータを前記第１のインタラクティブインターフェースに表示するようにさらに構成され，
　前記オンライン情報のターゲットデータは，前記現在のオンライン情報及びユーザの操作に従って予め設定された現在のオンライン情報よりも後に発行されるオンライン情報を含む，
　ことを特徴とするデバイス。
　　【請求項６】
　前記表示ユニットは，前記記憶ユニットに保存されている前記オフセット情報に従って前記現在のオンライン情報の前記位置へ前記第１のインタラクティブインターフェースを制御するようにさらに構成される請求項５に記載のデバイス。
　　【請求項７】
　前記表示ユニットは，前記記憶ユニットに保存されている前記現在の位置情報に従って事前に記憶されているオンライン情報から前記現在のオンライン情報にアクセスし，前記現在のオンライン情報を前記第１のインタラクティブインターフェースに表示するように構成される請求項５に記載のデバイス。
　　【請求項８】
　前記オンライン情報は，ページ情報および会話情報のうちの少なくとも一方を含む請求項５に記載のデバイス。
　　【請求項９】
　端末であって，
　第１のインタラクティブインターフェースを第２のインタラクティブインターフェースに切り替えるための切り替え命令を受信したときに現在のオンライン情報の位置を表す現在の位置情報を記憶するように構成された記憶ユニットであって，前記現在のオンライン情報は，前記第１のインタラクティブインターフェースから前記第２のインタラクティブインターフェースに切り替えるための切り替え命令を受信したときに前記第１のインタラクティブインターフェース上に表示される情報である，記憶ユニットと，
　表示ユニットであって，前記第１のインタラクティブインターフェース内に第１のオンライン情報を表示するように構成され，前記第２のインタラクティブインターフェースから前記第１のインタラクティブインターフェースに切り替え，前記第１のインタラクティブインターフェースを，前記第１のオンライン情報を表示するための表示命令を受信したときに前記現在のオンライン情報を表示するように制御するように構成された表示ユニットと，
　前記記憶ユニット内に保存されている前記切り替え命令に従って前記第１のインタラクティブインターフェースから前記第２のインタラクティブインターフェースに切り替えるように構成された切り替えユニットとを備え，
　前記記憶ユニットは，前記第１のインタラクティブインターフェースから前記第２のインタラクティブインターフェースに切り替えるための切り替え命令を受信したときに前記第１のオンライン情報の先頭から前記現在のオンライン情報位置までのオフセット情報を保存するように構成され，
　前記表示ユニットは，前記記憶ユニットによって保存されている前記オフセット情報に従って前記現在のオンライン情報の前記位置へ前記第１のインタラクティブインターフェースを制御するように構成され，
　前記表示ユニットは，前記記憶ユニット内に保存されている前記現在の位置情報を前記オンライン情報が記憶されているサーバに送信し，前記サーバによって送信されたオンライン情報のターゲットデータを受信し，前記オンライン情報のターゲットデータを前記第１のインタラクティブインターフェースに表示するように構成され，
　前記オンライン情報のターゲットデータは，前記現在のオンライン情報及びユーザの操作に従って予め設定された現在のオンライン情報よりも後に発行されるオンライン情報を含む，
　ことを特徴とする端末。
　　【請求項１０】
　前記表示ユニットは，前記記憶ユニットに保存されている前記現在の位置情報に従って事前に記憶されているオンライン情報から前記現在のオンライン情報にアクセスし，前記現在のオンライン情報を前記第１のインタラクティブインターフェースに表示するように構成される請求項９に記載の端末。
　　【請求項１１】
　前記オンライン情報は，ページ情報および会話情報のうちの少なくとも一方を含む請求項９に記載の端末。」
　
第５　引用文献，引用発明等
１．引用文献１について
　平成２９年７月２０日付けの当審拒絶理由通知で引用された引用文献１には，図面とともに次の事項が記載されている。なお，下線は重要箇所に対して当審が付与した（以下，同様。）。
　
ア　「【００１１】
　図１は，本実施形態の情報処理装置１の外観を示す図である。本情報処理装置１は，電子書籍をインターネット経由でダウンロードして閲覧するための携帯端末として実現されている。図１中，（Ａ）は，本情報処理装置１を正面から見た図，（Ｂ）は，本情報処理装置１を上から見た図，（Ｃ）は，本情報処理装置１を下から見た図である。
【００１２】
　図１（Ａ）に示すように，本情報処理装置１は，筐体正面の中央部に，タッチパネルディスプレイ１６が設置される。タッチパネルディスプレイ１６の周辺部であって，筐体正面の下部には，各種操作ボタンの中の１つであるホームボタン１４１ａが設置される。ホームボタン１４１ａは，タッチパネルディスプレイ１６上の表示を初期画面に戻すためのボタンである。なお，筐体側面には，例えばMicroＳＤ（Secure Digital）カード（登録商標）を収納するためのスロット２３が設けられる。図１（Ａ）には，このスロット２３を覆うための蓋体が示されている。本情報処理装置１は，例えばWi-Fiを利用した無線通信機能を有しており，この無線通信機能により，電子書籍を購入，即ちインターネット経由でダウンロードする。
【００１３】
　また，図１（Ｂ）に示すように，本情報処理装置１は，筐体上面に，各種操作ボタン１４１ｂ〜１４１ｆが設けられる。符号１４１ｂで示される操作ボタンは，電源ボタン１４１ｂであり，ユーザは，この電源ボタン１４１ｂを操作して，本情報処理装置の電源をオン／オフする。また，符号１４１ｅで示される操作ボタンは，Readingボタンであり，このReadingボタン１４１ｅが操作された場合における本情報処理装置１の動作については後述する。
【００１４】
　さらに，図１（Ｃ）に示すように，本情報処理装置１は，筐体下面に，ＵＳＢ（Universal Serial Bus）ケーブルを接続するためのmicroＵＳＢコネクタ２２，ヘッドフォンを接続するためのヘッドフォンジャック２１およびスピーカ１８が設置される。
【００１５】
　図２は，本情報処理装置１のシステム構成を示す図である。
【００１６】
　図２に示すように，
本情報処理装置１は，ＣＰＵ（Central Processing Unit）１１，
タッチパネルディスプレイ１６，
等を有している。
　
イ　「【００２５】
　次に，
以上のような構成を持つ本情報処理装置１上で動作する電子書籍アプリケーションプログラム１２０が実行する表示制御の基本原理について説明する。
【００２６】
　
電子書籍アプリケーションプログラム１２０は，電子書籍を購入する機能，購入した電子書籍一覧を表示する機能，電子書籍を閲覧する機能（書籍Viewer１２１を制御する機能）を備える。
【００２７】
　また，ユーザは，任意の画面がタッチパネルディスプレイ１６上に表示されている状態で，このReadingボタン１４１ｅを押下（長押し）することにより，読書履歴一覧を起動することができる。図４は，Readingボタン１４１ｅが長押しされた場合のタッチパネルディスプレイ１６上の画面の遷移を例示する図である。長押しとは，閾値を越える期間押下することである。図４に示したように，読書履歴一覧には，中断した書籍の情報が中断した日時順（例えば直近順）に表示される。図５は，読書を中断する際の処理の流れを示すフローチャートである。
【００２８】
　
読書を中断する際，ユーザは，書籍Viewer１２１上のしおりボタン（タッチパネルディスプレイ１６上に表示されるソフトウェアボタン）を押すことで，中断情報を保存することができる。しおりボタンの表示位置に対するタッチ操作というイベント（中断要求イベント）の発生をＯＳ１１０から通知されると（ブロックＡ１のＹＥＳ），書籍Viewer１２１は，開かれている書籍の識別情報（書籍ＩＤ），中断位置（頁）情報，閲覧開始日などを履歴データベース２１０に登録する（ブロックＡ２）。また，ホームボタン１４１ａを押すなどの操作により画面を書籍Viewer１２１以外へ遷移すると，読書を中断する。この時も中断情報を保存することができる。
【００２９】
　
最後に中断した書籍の閲覧を再開する場合には，ユーザは，Readingボタン１４１ｅを押下（短押し）する。Readingボタン入１４１ｅの操作というイベントは，ＯＳ１１０から電子書籍アプリケーションプログラム１２０に通知される。電子書籍アプリケーションプログラム１２０は，このイベントを受け取ると，それが短押しであった場合には，最後に中断した書籍の書籍ＩＤを履歴データベース２１０から取得する。
【００３０】
　
電子書籍アプリケーションプログラム１２０は，書籍Viewer１２１を起動し，履歴データベース２１０から取得した，最後に閲覧した書籍の書籍ＩＤを書籍Viewer１２１に渡す。書籍Viewer１２１は，電子書籍アプリケーションプログラム１２０から渡された書籍ＩＤに該当する書籍を開き（ロードし），また，その書籍ＩＤと関連付けられて履歴データベース２１０に登録されている中断ページ位置を取得し，そのページを画面上に表示する。
　
　上記摘記事項，図面の記載及びこの分野における技術常識を勘案すると，上記引用文献１には次の発明（以下，「引用発明」という。）が記載されていると認める。
　
「　電子書籍を表示するための方法であって，
　電子書籍はＣＰＵ１１およびタッチパネルディスプレイ１６を備える情報処理装置１によって表示され，
　本情報処理装置１上で動作する電子書籍アプリケーションプログラム１２０は，電子書籍を購入する機能，購入した電子書籍一覧を表示する機能，電子書籍を閲覧する機能（書籍Viewer１２１を制御する機能）を備え，
　読書を中断する際，ユーザは，書籍Viewer１２１上のしおりボタン（タッチパネルディスプレイ１６上に表示されるソフトウェアボタン）を押すことで，中断情報を保存することができ，しおりボタンの表示位置に対するタッチ操作というイベント（中断要求イベント）の発生をＯＳ１１０から通知されると，書籍Viewer１２１は，開かれている書籍の識別情報（書籍ＩＤ），中断位置（頁）情報，閲覧開始日などを履歴データベース２１０に登録し，また，ホームボタン１４１ａを押すなどの操作により画面を書籍Viewer１２１以外へ遷移すると，読書を中断し，この時も中断情報を保存することができ，
　最後に中断した書籍の閲覧を再開する場合には，ユーザは，Readingボタン１４１ｅを押下（短押し）し，Readingボタン入１４１ｅの操作というイベントは，ＯＳ１１０から電子書籍アプリケーションプログラム１２０に通知され，電子書籍アプリケーションプログラム１２０は，このイベントを受け取ると，それが短押しであった場合には，最後に中断した書籍の書籍ＩＤを履歴データベース２１０から取得し，
　電子書籍アプリケーションプログラム１２０は，書籍Viewer１２１を起動し，履歴データベース２１０から取得した，最後に閲覧した書籍の書籍ＩＤを書籍Viewer１２１に渡し，書籍Viewer１２１は，電子書籍アプリケーションプログラム１２０から渡された書籍ＩＤに該当する書籍を開き（ロードし），また，その書籍ＩＤと関連付けられて履歴データベース２１０に登録されている中断ページ位置を取得し，そのページを画面上に表示する，
　方法。」
　
２　引用文献２について
　平成２９年７月２０日付けの当審拒絶理由通知で引用された引用文献２には，図面とともに次の事項が記載されている。
　
ウ　「【発明の効果】
【００１６】
　本発明によれば，
１ページ毎に電子書籍データをダウンロードしながら再生する
【発明を実施するための最良の形態】
【００１７】
　次に，本発明の実施形態について図面を参照して，詳細に説明する。
【００１８】
　図１は，本発明になる電子書籍システムの一実施形態の概略システム構成図を示す。本実施形態の電子書籍システムは，本発明の携帯端末の一実施形態である折り畳み型携帯電話１００が，基地局２００，及びネットワークの一例としてのインターネット網３００を介して，電子書籍データ保管サービスプロバイダ提供のサーバ４００に接続された構成である。
【００１９】
　携帯電話１００は，第１の筐体１０１と第２の筐体１０２とが，ヒンジ部１０３によりヒンジ部１０３を中心として互いに開閉自在に結合された折り畳み型携帯電話である。第１の筐体１０１の内側面には，表示部１０４や受話用レシーバ１０５が配置されている。第２の筐体１０２の内側面には，入力部１０６や送話用マイクロフォン１０７が配置されている。また，例えば，第１の筐体１０１の背面にカメラが配置されている。また，この携帯電話１００は，現在，携帯電話の高速なパケット通信方式として知られているＨＳＤＰＡ（High Speed Downlink Packet Access）で，基地局２００及びインターネット網３００を介してサーバ４００と通信できる機能を有している。
【００２０】
　また，
サーバ４００は，電子書籍データ保管サービスプロバイダ提供のサーバであり，ユーザが購入した電子書籍データ及び電子書籍プレイリストを保管するデータベース４０１を有する。
　
エ　「【００２６】
　次に，図１及び図２に示した本実施形態の電子書籍システムの動作について図３のフローチャートを併せ参照して説明する。まず，ユーザは携帯電話１００を開状態にして入力部１０６を操作して基地局２００及びインターネット網３００を介してプロバイダのサーバ４００へログインし，接続する（ステップＳ１）。サーバ４００は，携帯電話１００のユーザの認証を行い（ステップＳ２），認証がＯＫであれば携帯電話１００のユーザに予め割り当てたデータベース４０１の内部の参照を許可し，データベース４０１に格納されている電子書籍プレイリストを携帯電話１００へ送信する。
【００２７】
　続いて，携帯電話１００のユーザは，表示部１０４に表示されている受信した電子書籍プレイリストを見て再生を希望する電子書籍とその再生方法（順次再生，ランダム再生，よく見る順，新刊順など）を，入力部１０６を操作して選択し，その選択情報を携帯電話１００から基地局２００及びインターネット網３００を通してサーバ４００へ送信する（ステップＳ３）。なお，このとき再生を開始する最初のページ指定を行うことも可能である。
【００２８】
　続いて，
ユーザにより携帯電話１００は開状態から閉状態にされる。この閉状態は開閉検出部１１５からの検出信号に基づきＣＰＵ１１０が判断する。ＣＰＵ１１０が閉状態を検出すると，それをトリガとしてＨＳＤＰＡ通信部１１１を介して基地局２００へダウンロード開始要求を送信する。サーバ４００は，上記のダウンロード開始要求を基地局２００からインターネット網３００を通して受信すると，データベース４０１に格納されているユーザが選択した電子書籍の１ページ目の電子書籍データを選択された再生方法に従って送信する。
【００２９】
　
携帯電話１００は，インターネット網３００，基地局２００を通してＨＳＤＰＡ通信部１１１で上記の１ページ目の電子書籍データを受信し，ＣＰＵ１１０の制御の下，ＲＡＭ１１２に対し表示データの準備及び受信電子書籍データのダウンロードを開始する（ステップＳ４）。
【００３０】
　
このようにして，１ページ目の電子書籍データのＲＡＭ１１２へのダウンロードが数秒で完了すると（ステップＳ５），ＣＰＵ１１０は開閉検出部１１５から開状態検出信号が入力されるかを監視する。ユーザが再び携帯電話１００を閉状態から開状態にすると，ＣＰＵ１１０は，開閉検出部１１５から開状態検出信号が入力されるので開状態であることを検出する（ステップＳ６）。これにより，ユーザは携帯電話１００の表示部１０４に再生表示されている電子書籍データの１ページ目を閲覧することができる。
【００３１】
　続いて，ＣＰＵ１１０は，現在ＲＡＭ１１２にダウンロードされている電子書籍データのページが最後のページかどうか判断する（ステップＳ７）。最後のページでない場合，ＣＰＵ１１０は，携帯電話１００を閉状態としたときに開閉検出部１１５から出力される閉状態検出信号の入力，又は携帯電話１００を振った時に加速度センサ１１６から出力される振動検出信号の入力，又は携帯電話１００を傾けた時に傾き検出部１１８から出力される傾き検出信号の入力を検出する（ステップＳ８）。このステップＳ８の検出は，ユーザが電子書籍データの１ページ目を閲覧し終わった任意のタイミングで行う，ユーザによる携帯電話１００の操作（閉じる操作，振る操作，又は傾ける操作）時点で行われる。
【００３２】
　ステップＳ８の検出を行うと，ＣＰＵ１１０は，ＲＡＭ１１２に格納されている１ページ分の電子書籍データを削除し，次のページのダウンロード要求をサーバ４００へ送信する（ステップＳ９）。
【００３３】
　上記のダウンロード要求に従い，サーバ４００は，データベース４０１から電子書籍の次のページ（この時点では２ページ目）の電子書籍データを選択された再生方法に従って送信する。これにより，携帯電話１００は，インターネット網３００，基地局２００を通してＨＳＤＰＡ通信部１１１で次のページの電子書籍データを受信し，その受信した次のページの電子書籍データのＲＡＭ１１２へのダウンロードをＣＰＵ１１０の制御の下，完了する（ステップＳ５）。
【００３４】
　以後，最後のページの電子書籍データがＲＡＭ１１２にダウンロード完了するまで，ステップＳ６〜Ｓ９，Ｓ５〜Ｓ７の処理が繰り返される。最後のページの電子書籍データがＲＡＭ１１２に格納され，表示部１０４に表示された最後のページの電子書籍データをユーザが閲覧し，最後のページであることをＣＰＵ１１０が検出すると（ステップＳ７のＹＥＳ），電子書籍再生を終了し（ステップＳ１０），ログアウトする（ステップＳ１１）。」
　
　上記摘記事項，図面の記載及びこの分野における技術常識を勘案すると，上記引用文献２には次の技術的事項（以下，「引用文献２記載の技術的事項」という。）が記載されていると認める。
　
　「携帯電話に電子書籍を表示する際に，１ページ毎に電子書籍データをサーバからダウンロードしながら表示すること。」
　
第６　対比・判断
１　本願発明１について
（１）対比
　本願発明１と引用発明とを対比すると，次のことがいえる。
　
ａ　引用発明の「電子書籍」は「インターネット経由でダウンロードして閲覧」される情報であり，本願発明１の「第１のオンライン情報」に相当する。
ｂ　引用発明の「書籍Viewer１２１」の「画面」，「書籍Viewer１２１以外へ遷移」した「画面」は，それぞれ，本願発明１の「第１のインタラクティブインターフェース」，「第２のインタラクティブインターフェース」に相当する。
ｃ　引用発明では「ホームボタン１４１ａを押すなどの操作により画面を書籍Viewer１２１以外へ遷移する」ことから，引用発明は本願発明１の「前記デバイスによって，前記切り替え命令に従って前記第１のインタラクティブインターフェースから前記第２のインタラクティブインターフェースに切り替えるステップ」に相当する構成を備えているといえる。
ｄ　引用発明では「最後に中断した書籍の閲覧を再開する場合には，ユーザは，Readingボタン１４１ｅを押下（短押し）」することから，引用発明は本願発明１の「前記デバイスによって，前記第１のオンライン情報を表示するための表示命令を受信したときに前記第２のインタラクティブインターフェースから前記第１のインタラクティブインターフェースに切り替えるステップ」に相当する構成を備えているといえる。
ｅ　引用発明の「中断位置（頁）情報」は，本願発明１の「現在の位置情報」，「ブックマーク」，「オフセット情報」に含まれる。
　
　したがって，本願発明１と引用発明との間には，次の一致点，相違点があるといえる。
　
（一致点）
「　情報を表示するための方法であって，
　プロセッサおよびディスプレイを備えるデバイスによって，第１のオンライン情報を前記ディスプレイ上の第１のインタラクティブインターフェース内に表示するステップと，
　前記デバイスによって，前記第１のインタラクティブインターフェースから第２のインタラクティブインターフェースに切り替えるための切り替え命令を受信したときに現在の位置情報を保存するステップであって，前記現在の位置情報は，前記切り替え命令を受信したときに前記第１のインタラクティブインターフェース内に表示される現在のオンライン情報を指示するブックマークを含む，ステップと，
　前記デバイスによって，前記切り替え命令に従って前記第１のインタラクティブインターフェースから前記第２のインタラクティブインターフェースに切り替えるステップと，
　前記デバイスによって，前記第１のオンライン情報を表示するための表示命令を受信したときに前記第２のインタラクティブインターフェースから前記第１のインタラクティブインターフェースに切り替えるステップと，
　前記デバイスによって，前記現在の位置情報に従って前記現在のオンライン情報を表示するように前記第１のインタラクティブインターフェースを制御するステップとを含み，
　前記現在の位置情報を保存するステップは，
　前記第１のオンライン情報の先頭から前記現在の位置情報までのオフセット情報を保存するステップを含む，
　ことを特徴とする方法。」
　
（相違点）
　本願発明１では，
「前記現在の位置情報に従って前記現在のオンライン情報を表示するように前記第１のインタラクティブインターフェースを制御するステップは，
　前記第１のオンライン情報が記憶されているサーバに前記現在の位置情報を送信するステップと，
　前記サーバによって送信されたオンライン情報のターゲットデータを受信するステップと，
　前記オンライン情報のターゲットデータを前記第１のインタラクティブインターフェースに表示するステップとを含み，
　前記オンライン情報のターゲットデータは，前記現在のオンライン情報及びユーザの操作に従って予め設定された現在のオンライン情報よりも後に発行されるオンライン情報を含む」
　のに対し，
　引用発明では，「前記現在の位置情報に従って前記現在のオンライン情報を表示するように前記第１のインタラクティブインターフェースを制御するステップ」は，「書籍ＩＤと関連付けられて履歴データベース２１０に登録されている中断ページ位置を取得し，そのページを画面上に表示する」のみである点。
　
（２）相違点についての判断
　上述のとおり，引用文献２には「携帯電話に電子書籍を表示する際に，１ページ毎に電子書籍データをサーバからダウンロードしながら表示すること。」という技術的事項が開示されているが，ここで，ダウンロードされる「１ページ」は携帯電話に現在表示されていないページであって，ユーザが次に読もうとするページであることは明らかである。
　これに対し，引用発明において「サーバによって送信されたオンライン情報のターゲットデータ」は「前記現在のオンライン情報及びユーザの操作に従って予め設定された現在のオンライン情報よりも後に発行されるオンライン情報を含む」ものであるところ，このように，サーバから送信される情報に「現在のオンライン情報」を含ませることや，「現在のオンライン情報よりも後に発行されるオンライン情報」を「ユーザの操作に従って予め設定された」ものとすることは，引用文献２記載の技術的事項から当業者が容易に想到できたものということはできない。
　したがって，本願発明１は，当業者であっても引用発明及び引用文献２記載の技術的事項に基づいて容易に発明できたものであるとはいえない。
　
２　本願発明２−１１について
　本願発明２−１１も，本願発明１の「サーバによって送信されたオンライン情報のターゲットデータ」は「前記現在のオンライン情報及びユーザの操作に従って予め設定された現在のオンライン情報よりも後に発行されるオンライン情報を含む」ことと同一の構成を備えるものであるから，本願発明１と同じ理由により，当業者であっても引用発明及び引用文献２記載の技術的事項に基づいて容易に発明できたものであるとはいえない。
　
３　明確性要件について
　平成２９年１０月１９日に提出された手続補正書による手続補正により，本願請求項３の「前記現在の位置情報に従って前記現在のオンライン情報を表示するように前記第１のインタラクティブインターフェースを制御するステップ」は，「前記第１のオンライン情報が記憶されているサーバに前記現在の位置情報を送信するステップと，前記サーバによって送信されたオンライン情報のターゲットデータを受信するステップと，前記オンライン情報のターゲットデータを前記第１のインタラクティブインターフェースに表示するステップとを含み，前記オンライン情報のターゲットデータは，前記現在のオンライン情報及びユーザの操作に従って予め設定された現在のオンライン情報よりも後に発行されるオンライン情報を含」み，さらに，「前記現在の位置情報に従って事前に記憶されているオンライン情報から前記現在のオンライン情報にアクセスするステップと，前記現在のオンライン情報を前記第１のインタラクティブインターフェースに表示するステップとを含む」こと，が明らかになったので，本願請求項３の記載は明確になった。
　請求項７，１０についても同様である。
　
第７　原査定についての判断
　平成２９年１０月１９日付けの補正により，補正後の請求項１−１１は，
「前記現在の位置情報に従って前記現在のオンライン情報を表示するように前記第１のインタラクティブインターフェースを制御するステップは，
　前記第１のオンライン情報が記憶されているサーバに前記現在の位置情報を送信するステップと，
　前記サーバによって送信されたオンライン情報のターゲットデータを受信するステップと，
　前記オンライン情報のターゲットデータを前記第１のインタラクティブインターフェースに表示するステップとを含み，
　前記オンライン情報のターゲットデータは，前記現在のオンライン情報及びユーザの操作に従って予め設定された現在のオンライン情報よりも後に発行されるオンライン情報を含む」
　という技術的事項を有するものとなった。
　この技術的事項は，原査定における引用文献Ａ，Ｂには記載されておらず，本願優先日前における周知技術でもないので，本願発明１−１１は，当業者であっても，原査定における引用文献Ａに記載された発明ではなく，また，原査定における引用文献Ａ，Ｂに基づいて容易に発明できたものではない。したがって，原査定を維持することはできない。
　
第８　むすび
　以上のとおり，原査定の理由によって，本願を拒絶することはできない。
　他に本願を拒絶すべき理由を発見しない。
　よって，結論のとおり審決する。